(57)【特許請求の範囲】
【請求項１】
キー入力に基づいて表示部及びキー入力部のバックライトの点灯及び消灯の制御を行う携帯電話機であって、
前記キー入力部がインターネット接続サービスを用いる操作時に使用者が入力を行う特定キー部と、通話等の操作時に使用者が入力を行う通話キー部とに分割されてバックライトの点灯及び消灯の制御が行われ、
使用者が前記特定キー部のキーを押下した場合に、前記表示部と前記特定キー部とを点灯する特定キーモードと、使用者が前記特定キー部のキーを押下した場合に、前記表示部と前記特定キー部と前記通話キー部とを点灯する全点灯モードとを有し、
使用者により、前記特定キーモードが設定されているときに、インターネット接続サービス使用時に前記特定キー部のキーが押下された場合には、前記表示部と前記特定キー部のバックライトの点灯制御が行われ、前記通話キー部のキーが押下された場合には、前記表示部と前記通話キー部及び前記特定キー部のバックライトの点灯制御が行われ、
使用者により、前記全点灯モードが設定されているときに、前記特定キー部のキーまたは通話キー部のキーが押下された場合には、前記表示部と前記特定キー部と前記通話キー部のバックライトの点灯制御が行われることを特徴とする携帯電話機。
【発明の詳細な説明】
【０００１】
【発明の属する技術分野】
本発明は、キー入力時におけるバックライトの点灯制御機能を備えた携帯電話機に関するものである。
【０００２】
【従来の技術】
携帯電話機のＬＣＤ（Liquid Crystal Display）部及びキー部のＬＥＤ（Light Emitting Diode）は、発信等のためのキー入力が行われると、数秒間点灯する。従来例として、特開平９−２７８４４号公報に開示された表示機能付き携帯電話機は、周囲の明るさやキー入力や音声入力等を検出し、これらの状態に従うとともにタイマーにより一定時間バックライトの点灯制御を行う。
【０００３】
【発明が解決しようとする課題】
しかしながら、無線端末を用いたインターネット接続サービスにおいて、十字キーや「決定」キーや「戻る」キー等以外のキーはほとんど使用されることがないにもかかわらず、一箇所のキー入力が行われると全てのキー部のＬＥＤが点灯する。このため、携帯電話機の消費電流が多くなり、すぐに電池切れになってしまう。これに対して、消費電流の低減を目的として、ＬＣＤ部またはキー部のＬＥＤを点灯しないといった制御を行う携帯電話機が提案されている。しかし、キー部のＬＥＤを点灯しないと、よく使用されるキーも暗くなり、使い勝手が悪くなってしまう。
【０００４】
本発明は上述した課題に鑑みてなされたものであり、無線端末を用いたインターネット接続サービスを使用する際の操作時に、主に使用されるキーからなるブロックである特定キー部及びＬＣＤ部のバックライトのみを点灯させ、消費電流の低減を行う携帯電話機を提供することを目的とする。
【０００５】
【課題を解決するための手段】
上述した課題を解決するため、本発明に係る携帯電話機は、キー入力に基づいて表示部及びキー入力部のバックライトの点灯及び消灯の制御を行う携帯電話機であって、少なくとも、前記キー入力部のバックライトが複数に分割制御されていることを特徴とするものである。
【０００６】
このような構成によれば、例えば、使用しているキー部以外のキー部のバックライトは点灯しないようにすることにより、消費電流を低減し、携帯電話機の動作時間を長くすることができる。
【０００７】
また、本発明に係る携帯電話機において、前記キー入力部は、使用頻度に応じたブロックに分割されており、前記ブロック毎にバックライトの制御を行うことを特徴とするものである。
【０００８】
このような構成によれば、無線端末を用いたインターネット接続サービス使用時に用いられる特定キー部と特定キー部以外のキー部とを分けて点灯制御を行い、特定キー部の使用時には特定キー部以外のキー部のバックライトは点灯しないようにすることにより、消費電流を低減し、携帯電話機の動作時間を長くすることができる。
【０００９】
【発明の実施の形態】
以下、本発明の実施の形態について図面を参照して詳細に説明する。図１は、本実施の形態における携帯電話機の外観の一例を示す図である。ここで、携帯電話機の内部には、バックライトの点灯制御を行う制御部が備えられている。制御部によるバックライトの点灯制御は、図１に示すように、表示を行うＬＣＤ部１０１と、無線端末を用いたインターネット接続サービスを用いる操作時に使用者が入力を行う特定キー部１０２と、通話等の操作時に使用者が入力を行う通話キー部１０３とに分割して行われる。ここで、図１においては、特定キー部１０２には、方向キー１０２ａと、選択キー１０２ｂと、電話帳キー１０２ｃと、スペシャルファンクションキー１０２ｄとが例示されている。また、通話キー部１０３には、オン／オフフックキー１０３ａと、電源キー１０３ｂと、数字キー１０３ｃとが例示されている。なお、以下、本実施の形態において、表示部とはＬＣＤ部１０１のことであり、キー入力部とは特定キー部１０２と通話キー部１０３のことである。
【００１０】
次に、使用者のキー入力による各部のＬＥＤの動作の一例について、図２と図３を用いて説明する。図２は、各部のＬＥＤのスイッチがＯＦＦの状態の一例を示す回路図である。図２に示すように、ＬＣＤ部１０１のＬＥＤのスイッチ（ＳＷ１）は、開いている状態の時（ＳＷ１＝ＯＦＦ）バックライトは消灯し、閉じている状態の時（ＳＷ１＝ＯＮ）バックライトは点灯する。同様に、特定キー部１０２のＬＥＤのスイッチ（ＳＷ２）と、通話キー部１０３のＬＥＤのスイッチ（ＳＷ３）は、ＯＮとＯＦＦによりバックライトの点灯と消灯を行う。
【００１１】
図３は、使用者のキー入力による各部のＬＥＤの動作の一例を示すフローチャートである。まず、各部のＬＥＤのスイッチは、「ＳＷ１＝ＯＦＦ、ＳＷ２＝ＯＦＦ、ＳＷ３＝ＯＦＦ」の状態であるとする（Ｓ４０１）。制御部は、予め使用者により設定されたＬＥＤ機能設定がＯＮであるか否かの判断を行う（Ｓ４０２）。ここで、ＬＥＤ機能設定とは、バックライトの点灯制御を行うか否かを表す設定である。また、上述したＬＥＤ機能設定のＯＮとＯＦＦの選択は無くてもよく、この場合はＳ４１１へ移行する。
【００１２】
ＬＥＤ機能設定がＯＦＦである場合（Ｓ４０２，Ｎ）、このフローを終了する。すなわち、使用者がＬＥＤ機能設定のＯＦＦを選択した場合、特定キー部１０２または通話キー部１０３を押下されても、各部のＬＥＤのスイッチは常時ＯＦＦである。
【００１３】
ＬＥＤ機能設定がＯＮである場合（Ｓ４０２，Ｙ）、制御部は、予め使用者により設定された点灯モード設定が特定キーモードであるか否かの判断を行う（Ｓ４１１）。すなわち、使用者がＬＥＤ機能設定のＯＮを選択した場合、さらに、使用者は点灯モード設定として、特定キーモードまたは全点灯モードのどちらか一方を選択する。ここで、特定キーモードとは、使用者が特定キー部１０２を押下した場合に、ＬＣＤ部１０１と特定キー部１０２のみを点灯するモードを表し、全点灯モードとは、使用者が特定キー部１０２または通話キー部１０３を押下した場合に、ＬＣＤ部１０１と特定キー部１０２と通話キー部１０３との全てを点灯するモードを表す。
【００１４】
点灯モード設定が特定キーモードでない場合（Ｓ４１１，Ｎ）、制御部は、全点灯モードと判断し（Ｓ４１２）、特定キー部１０２または通話キー部１０３が押下されたか否かの判断を行う（Ｓ４１３）。特定キー部１０２または通話キー部１０３が押下されない場合（Ｓ４１３，Ｎ）は、このフローを終了する。一方、特定キー部１０２または通話キー部１０３が押下された場合（Ｓ４１３，Ｙ）は、各部のＬＥＤのスイッチを「ＳＷ１＝ＯＮ、ＳＷ２＝ＯＮ、ＳＷ３＝ＯＮ」の状態にし（Ｓ４１４）、点灯時間が設定時間を超えるか否かの判断を行う（Ｓ４１５）。
【００１５】
ここで、点灯時間とは、各部のＬＥＤのスイッチがＯＮの状態になってからカウントされる時間のことであり、カウントは、特定キー部１０２または通話キー部１０３が押下される度に０から始まる。また、設定時間は例えば数十秒である。
【００１６】
点灯時間が設定時間を超えない場合（Ｓ４１５，Ｎ）は、処理Ｓ４１５へ戻る。点灯時間が設定時間を超えた場合（Ｓ４１５，Ｙ）は、各部のＬＥＤのスイッチを「ＳＷ１＝ＯＦＦ、ＳＷ２＝ＯＦＦ、ＳＷ３＝ＯＦＦ」の状態にし（Ｓ４１６）、このフローを終了する。
【００１７】
点灯モード設定が特定キーモードである場合（Ｓ４１１，Ｙ）、制御部は、特定キー部１０２が押下されたか否かの判断を行う（Ｓ４２１）。特定キー部１０２が押下されない場合（Ｓ４２１，Ｎ）は、処理Ｓ４３１へ移行する。一方、特定キー部１０２が押下された場合（Ｓ４２１，Ｙ）は、各部のＬＥＤのスイッチを「ＳＷ１＝ＯＮ、ＳＷ２＝ＯＮ」の状態にし（Ｓ４２２）、点灯時間が設定時間を超えるか否かの判断を行う（Ｓ４２３）。
【００１８】
点灯時間が設定時間を超えない場合（Ｓ４２３，Ｎ）は、処理Ｓ４２４へ移行する。点灯時間が設定時間を超えた場合（Ｓ４２３，Ｙ）は、各部のＬＥＤのスイッチを「ＳＷ１＝ＯＦＦ、ＳＷ２＝ＯＦＦ」の状態にし（Ｓ４２５）、このフローを終了する。
【００１９】
点灯時間が設定時間を超えない場合（Ｓ４２３，Ｎ）、制御部は、通話キー部１０３が押下されたか否かの判断を行う（Ｓ４２４）。通話キー部１０３が押下されない場合（Ｓ４２４，Ｎ）は、処理Ｓ４２３へ戻る。一方、通話キー部１０３が押下された場合（Ｓ４２４，Ｙ）、処理Ｓ４３２へ移行する。
【００２０】
特定キー部１０２が押下されない場合（Ｓ４２１，Ｎ）、制御部は、通話キー部１０３が押下されたか否かの判断を行う（Ｓ４３１）。通話キー部１０３が押下されない場合（Ｓ４３１，Ｎ）は、このフローを終了する。一方、通話キー部１０３が押下された場合（Ｓ４３１，Ｙ）、各部のＬＥＤのスイッチを「ＳＷ１＝ＯＮ、ＳＷ２＝ＯＮ、ＳＷ３＝ＯＮ」の状態にし（Ｓ４３２）、点灯時間が設定時間を超えるか否かの判断を行う（Ｓ４３３）。
【００２１】
点灯時間が設定時間を超えない場合は（Ｓ４３３，Ｎ）、処理Ｓ４３３へ戻る。点灯時間が設定時間を超えた場合は（Ｓ４３３，Ｙ）、各部のＬＥＤのスイッチを「ＳＷ１＝ＯＦＦ、ＳＷ２＝ＯＦＦ、ＳＷ３＝ＯＦＦ」の状態にし（Ｓ４３４）、このフローを終了する。
【００２２】
【発明の効果】
以上に詳述したように本発明によれば、携帯電話等の無線端末を用いたインターネット接続サービスの使用時に用いられる特定キー部と特定キー部以外のキー部とを分けて点灯制御を行い、特定キー部の使用時には特定キー部以外のキー部のバックライトは点灯しないようにすることにより、消費電流を低減し、携帯電話機の動作時間を長くすることができる。
【図面の簡単な説明】
【図１】本実施の形態における携帯電話機の外観の一例を示す図である。
【図２】各部のＬＥＤのスイッチがＯＦＦの状態の一例を示す回路図である。
【図３】使用者のキー入力による各部のＬＥＤのスイッチ動作の一例を示すフローチャートである。
【符号の説明】
１０１  ＬＣＤ部、１０２  特定キー部、１０３  通話キー部。
【図１】
0004526213.tif 000002
【図２】
0004526213.tif 000003
【図３】
0004526213.tif 000004